(57)【特許請求の範囲】
【請求項１】
先端工具を保持する工具保持機能を有する工具保持部と、
前記工具保持部に保持された前記先端工具に連続打撃を伝達する打撃機構部を収納する打撃機構部ケースと、
前記工具保持部と前記打撃機構部ケースとの間に位置し、前記工具保持部及び前記打撃機構部ケースの外径よりも小径に形成されサイドハンドルを取付け可能なサイドハンドル取付け部とを有する衝撃工具であって、
前記工具保持部あるいは前記打撃機構部ケースに工具軸方向に移動可能で、前記サイドハンドルを前記サイドハンドル取付け部から取外した際に、前記サイドハンドル取付け部を覆うことができる把持可能なグリップを設け、
前記打撃機構部ケースには、前記先端工具を保持可能なフロントカバーが固定され、
前記フロントカバーに前記サイドハンドル取付け部が設けられており、
前記工具保持部は、前記フロントカバーに対する回動位置によって、先端工具を取付け及び取外し可能であり、
前記打撃機構収納部ケース外周側に、前記グリップと係合可能な突起を設け、前記グリップが前記突起と係合した際に、グリップは打撃機構部収納部ケースに対して回動不能となることを特徴とする衝撃工具。
【発明の詳細な説明】
【０００１】
【発明の属する技術分野】
本発明は、サイドハンドルを着脱可能な電気ハンマ等の衝撃工具に関するものである。
【０００２】
【従来の技術】
電気ハンマ等の衝撃工具には、工具保持部周辺に着脱可能にサイドハンドルを取付けた構成をしたものがあり、これは打撃機構部を収納する打撃機構部ケースと、工具保持機能を有する工具保持部との間に、打撃機構部ケース及び工具保持部の外径よりも小径なサイドハンドル取付け部を設け、このサイドハンドル取付け部にサイドハンドルを取付ける構成をしていた。
【０００３】
【発明が解決しようとする課題】
上記したような従来の衝撃工具では、壁際等での作業の際にサイドハンドルが邪魔になる等して本体からサイドハンドルを取外して作業を行う際、作業状態を安定させるために工具保持部あるいは打撃機構部ケースを把持した状態で作業を行う場合があるが、この際には上記したサイドハンドル取付け部が打撃機構部ケース及び工具保持部よりも小径に形成され、段差となっている共に把持部分がサイドハンドル取付け部のために狭くなるため、工具保持部あるいは打撃機構部ケースを把持し難くく作業状態が安定しないという欠点があった。
【０００４】
本発明の目的は、上記した欠点を解消し、サイドハンドルを取外した状態においても安定した作業状態を得ることができる衝撃工具を提供することである。
【０００５】
【課題を解決するための手段】
上記の目的は、「先端工具を保持する工具保持機能を有する工具保持部と、前記工具保持部に保持された前記先端工具に連続打撃を伝達する打撃機構部を収納する打撃機構部ケースと、前記工具保持部と前記打撃機構部ケースとの間に位置し、前記工具保持部及び前記打撃機構部ケースの外径よりも小径に形成されサイドハンドルを取付け可能なサイドハンドル取付け部とを有する衝撃工具であって、前記工具保持部あるいは前記打撃機構部ケースに工具軸方向に移動可能で、前記サイハンドルを前記サイドハンドル取付け部から取外した際に、前記サイドハンドル取付け部を覆うことができるグリップを設け、前記打撃機構部ケースには、フロントカバーが固定され、前記工具保持部は、前記フロントカバーに対する回動位置によって、先端工具を取付け及び取外し可能であることを特徴とする衝撃工具」により達成される。
【０００６】
【発明の実施の形態】
以下、本発明衝撃工具の一実施形態を図１〜図３を用いて説明する。
【０００７】
図示しないシリンダ、ピストン、ハンマ、中間子等を有する打撃機構部を収納する打撃機構部ケース７の図示左側には、先端工具１を取付け及び取外し可能な工具保持機能を有する工具保持部４が設けられており、打撃機構部ケース７と工具保持部４との間には打撃機構部ケース７及び工具保持部４の外径よりも小径なサイドハンドル取付け部９が設けられている。なお、工具保持部４は断面が円形状に形成されており、打撃機構部ケース７及びフランジ部２ａは断面がほぼ四角形状に形成されており、工具保持部４の外径寸法と打撃機構部ケース７の図示上面から図示下面までの外径寸法はほぼ同一となっている。また、工具保持部４外周は把持可能なように弾性材から形成されている。
【０００８】
詳細には、打撃機構部ケース７に固定されたフロントカバー２の先端にはフロントキャップ３が嵌着されていると共に、フロントカバー２の外周には工具保持部４が工具軸方向に移動不能かつ回動可能に係合されており、工具保持部４はフロントカバー２に対する回動位置によって先端工具１を取付け及び取外し可能な構成となっている。工具保持部４内には図３に示すように、フロントカバー２内にフロントカバー２の軸方向に対する半径方向に移動可能に保持された錠止部材１０と、フロントカバー２上に回動可能かつ工具保持部４と相対回動不能に係合され、回動位置によって錠止部材１０をフロントカバー２内に突出させるホルダ１１とを有する構成をしており、図に示すように錠止部材１０がホルダ１１によってフロントカバー２内に突出することにより、フロントカバー２内に先端工具１を保持することができるようになっている。また、図３に示すようにフロントカバー２外周上の打撃機構部ケース７と工具保持部４との間の露出した部分がサイドハンドル取付け部９となっており、この部分の形状を断面が凹形形状とすることにより、先端工具１の軸方向におけるサイドハンドル８の移動を規制するようにしている。
【０００９】
図に示すように工具保持部４外周には、合成樹脂等の弾性材からなる円筒状のグリップ６が工具軸方向に移動可能かつ回動可能に設けられている。グリップ６は工具軸方向においてサイドハンドル取付け部９の長さ寸法よりも長い寸法を有する形状をしている。
【００１０】
図１に示す状態は、サイドハンドル取付け部９にサイドハンドル８を取付けた状態を示すが、この状態ではグリップ６は工具保持部４外周において先端工具１側に移動した状態にあり、グリップ６の工具保持部４側に突出する突起６ａが工具保持部４外周に設けられた先端工具１側の係合部４ａ及び係合部４ｂ間に位置し、工具保持部４外周においてグリップ６の工具軸方向の移動は規制されている。
【００１１】
図１に示す状態から、作業状況等によりサイドハンドル８を取外した状態で作業を行う場合には、グリップ６の突起６ａを工具保持部４外周の係合部４ｂを乗り越えさせてグリップ６を打撃機構部ケース７側に移動させ、図２に示すように突起６ａを工具保持部４のフランジ部４ｄと係合部４ｃとの間に位置させることにより、サイドハンドル取付け部９外周をグリップ６で覆わせる。なお、上記したように打撃機構部ケース7及びフランジ部２ａはほぼ四角形状に形成されているため、グリップ６の打撃機構部ケース７側端部もほぼ同形状の四角形状に形成し、グリップ６を打撃機構部ケース７側に移動させた際にフランジ部２ａ外周とグリップ６の打撃機構部ケース７側端部とが係合するようにしている。
【００１２】
これにより、サイドハンドル８を取付けていない状態においてサイドハンドル部９の外周にグリップ６を位置させることにより、工具把持部４と打撃機構部ケース７間の段差を解消することができ、工具把持部４あるいは打撃機構部ケース７を把持する範囲を広くすることができるため、工具把持部４あるいは打撃機構部ケース７を容易に把持することができるようになり、安定した状態で作業を行なうことができるようになる。
【００１３】
また、グリップ６を工具保持部４に対して回動可能であり、グリップ６とフランジ部２ａとが係合するとグリップ６は打撃機構部ケース７に対して回動不能な状態となるので、サイドハンドル８を取外しグリップ６を打撃機構部ケース７側に移動させた状態では、グリップ６は打撃機構部ケース７と一体的に係合された状態となるため、打撃機構部ケース７を把持するのと同様にグリップ６を把持することにより作業時の安定性を得ることができるようになる。
【００１４】
なお、図２に示す状態から再度サイドハンドル８を取付ける際には、グリップ６を先端工具１側に移動させ、グリップ６の突起６ａを工具保持部４外周の係合部４ａ、４ｂ間に位置させることにより、グリップ６の工具軸方向の移動を規制した状態でサイドハンドル取付け部９にサイドハンドル８を取付けることが可能となる。
【００１５】
上記したように工具保持部４外周にグリップ６の突起６ａと係合しグリップ６の工具軸方向の移動を規制する規制手段を設けたことにより、サイドハンドル８を取付けた状態及び取り外した状態においても、グリップ６が作業の妨げとなることを防止することができる。なお、フロントカバー２のフランジ部２ａの外径寸法をグリップ６の打撃機構部ケース７側端部の内径寸法より若干大きく形成することにより、グリップ６がサイドハンドル取付け部９を覆う際にグリップ６とフランジ部２ａとの係合力を大きくすることができ、グリップ６を工具保持部４及び打撃機構部ケース７上で安定させることができる。
【００１６】
なお、本実施形態では、工具保持部４外周にグリップ６を設けた構成としたが、打撃機構部ケース７外周にグリップ６を設けた構成としても良い。
【００１７】
更に、本実施形態では、工具保持部４を断面が円形状、打撃機構部ケース７を断面がほぼ四角形状に形成し、グリップ６の形状を工具保持部４及び打撃機構部ケース７に合わせた形状としたが、工具保持部４、打撃機構部ケース７及びグリップ６を断面が円形状に形成したものであっても良い。
【００１８】
また、工具保持部４外周を弾性材により形成することにより、工具保持部４の把持を行うことができるようになり、安定した作業状態を得ることができるようになる。
【００１９】
【発明の効果】
本発明によれば、「先端工具を保持する工具保持機能を有する工具保持部と、前記工具保持部に保持された前記先端工具に連続打撃を伝達する打撃機構部を収納する打撃機構部ケースと、前記工具保持部と前記打撃機構部ケースとの間に位置し、前記工具保持部及び前記打撃機構部ケースの外径よりも小径に形成されサイドハンドルを取付け可能なサイドハンドル取付け部とを有する衝撃工具であって、前記工具保持部あるいは前記打撃機構部ケースに工具軸方向に移動可能で、前記サイハンドルを前記サイドハンドル取付け部から取外した際に、前記サイドハンドル取付け部を覆うことができるグリップを設け、前記打撃機構部ケースには、フロントカバーが固定され、前記工具保持部は、前記フロントカバーに対する回動位置によって、先端工具を取付け及び取外し可能であることを特徴とする衝撃工具」により、サイドハンドルを取外した状態においても安定した作業状態を得ることができ、工具保持部がフロントカバーの回動位置によって先端工具を取付け及び取外し可能である衝撃工具を提供することができるようになる。
【図面の簡単な説明】
【図１】本発明衝撃工具の一実施形態を示す要部断面側面図。
【図２】本発明衝撃工具の一実施形態の一動作状態を示す要部断面側面図。
【図３】本発明衝撃工具の一実施形態を示す要部断面図。
【符号の説明】
１は先端工具、２はフロントカバー、３はフロントキャップ、４は工具保持部、４ａ〜４ｃは凸部、４ｄはフランジ部、６はグリップ、７は打撃機構部ケース、７ａはフランジ部、８はサイドハンドル、９はサイドハンドル取付部である。
【図１】
0004103341.tif 000002
【図２】
0004103341.tif 000003
【図３】
0004103341.tif 000004